(57)【要約】【課題】簡単な構成で、障害等に対して信頼性の高いバックアップシステム備えたデータ記録検索システムを提供する。【解決手段】複数の種類のデータを別々に同時に出力するホストコンピュータ１０と、ホストコンピュータ１０から出力された各データを記録する複数の記録用サーバーコンピュータ１６，１７と、各データを複数の記録用サーバーコンピュータ１６，１７に同時に各々分配する信号分配機器１８，１９を備える。各記録用サーバーコンピュータ１６，１７に記録された複数のデータを各々互いに等しいデータとして連番等を付して記録する記録管理手段と、記録された各データのうち何れか一方の記録用サーバーコンピュータのデータ１６に欠落が生じた場合に、他方の記録用サーバーコンピュータ１７から欠落部分を抽出し補完するデータ復旧手段を備える。【選択図】　　　　図１
2004021823.tif 000002
【特許請求の範囲】
【請求項１】
各種の制御に用いられ複数の種類のデータを別々に同時に出力するホストコンピュータと、このホストコンピュータから出力された各データを記録する複数の記録用サーバーコンピュータと、上記各データを上記複数の記録用サーバーコンピュータに同時に各々分配する信号分配器と、上記各記録用サーバーコンピュータに記録された上記複数のデータを各々互いに等しいデータとして管理記号を付して記録する記録管理手段と、上記記録管理手段により各記録用サーバーコンピュータに記録された上記データのうち何れか一方の記録用サーバーコンピュータのデータに欠落が生じた場合に、上記他方の記録用サーバーコンピュータから上記管理記号に基づいて欠落部分を抽出し補完するデータ復旧手段とを備えたことを特徴とするデータ記録検索システム。
【請求項２】
上記記録管理手段は、上記各記録用サーバーコンピュータに記録された上記複数のデータを、各記録用サーバーコンピュータの起動時に、自己以外の記録用サーバーコンピュータから、各データの管理記号である連番の最終値を取得し、これに基づいて自己のデータの連番を付すものであることを特徴とする請求項１記載のデータ記録検索システム。
【請求項３】
上記ホストコンピュータと各記録用サーバーコンピュータとは、電話回線を介して接続されていることを特徴とする請求項１または２記載のデータ記録検索システム。
【請求項４】
上記記録用サーバーコンピュータは、インターネットに接続可能に設けられていることを特徴とする請求項３記載のデータ記録検索システム。
【発明の詳細な説明】
【０００１】
【発明が属する技術分野】
この発明は、発電所やその他各種プラント等の運転管理データや事故記録データ等を常時記録し、管理検索可能とするデータ記録検索システムに関する。
【０００２】
【従来の技術】
従来、例えば発電所における制御用ホストコンピュータにより、発電所での事故データを常時記録保存するシステムとして、図５に示すような遠隔管理システムがあった。このシステムでは、発電所のホストコンピュータ２から、例えば土木事故データ及び電気事故データが別々に２系統で出力され、電話回線を介してこの２系統のデータはモデム４，５によりプリンタ６，７に入力され、プリンタ６，７で印刷され紙データとして出力される。プリンタ６，７は、各事故データを別々に印刷し、印刷された各データはそのまま紙で保管される。
【０００３】
【発明が解決しようとする課題】
上記従来の技術の場合、事故データをプリンタ６，７でそのまま連続用紙に印刷しているので、事故データ等の確認作業は印刷された連続用紙を端から順に目で追っていかなければならず、事故データの検索が不便なものであった。また、見落としや見間違い等による人間系でのミスの恐れもあった。
【０００４】
この発明は、上記従来の技術の問題点に鑑みて成されたもので、簡単な構成で、障害等に対して信頼性の高いバックアップシステムを備えたデータ記録検索システムを提供することを目的とする。
【０００５】
【課題を解決するための手段】
この発明のデータ記録検索システムは、各種の制御に用いられ複数の種類のデータを別々に同時に出力するホストコンピュータと、このホストコンピュータから出力された各データを記録する複数の記録用サーバーコンピュータと、上記各データを複数の記録用サーバーコンピュータに同時に各々分配する信号分配器と、上記各記録用サーバーコンピュータに記録された上記複数のデータを各々互いに等しいデータとして連番等の管理記号を付して記録する記録管理手段と、上記記録管理手段により各記録用サーバーコンピュータに記録された上記データのうち何れか一方の記録用サーバーコンピュータのデータに欠落が生じた場合に、上記他方の記録用サーバーコンピュータから上記連番等の管理記号に基づいて欠落部分を抽出し、欠落したデータを補完するデータ復旧手段とを備えたものである。
【０００６】
上記記録管理手段は、上記各記録用サーバーコンピュータに記録された上記複数のデータを、各記録用サーバーコンピュータの起動時に、自己以外の記録用サーバーコンピュータから、各データの連番の最終値を取得し、これに基づいて自己のデータの連番を付すものである。
【０００７】
また、上記ホストコンピュータと各記録用サーバーコンピュータとは、電話回線を介して接続され、モデムを介してデータの授受を行う。上記記録用サーバーコンピュータは、インターネットにも接続可能に設けられている。
【０００８】
【発明の実施の形態】
以下、この発明の実施の形態について図面に基づいて説明する。図１〜図４はこの発明の一実施形態のデータ記録検索システムについて示すもので、この実施形態は、図１に示すように、例えば発電所における事故データを常時記録保存するシステムであり、発電所のホストコンピュータ１０から、例えば土木事故データ及び電気事故データが、別々に電話回線１１，１２による２系統で出力される。この２系統のデータは、電話回線１１，１２を介して、モデム１４，１５が接続された２台の記録用サーバーコンピュータ１６，１７に繋がっている。各記録用サーバーコンピュータ１６，１７は、電話回線１１，１２を介して同時に送信されてくる各データを、各々両方の記録用サーバーコンピュータ１６，１７に分配する信号分配器１８，１９を介してモデム１４，１５と接続されている。
【０００９】
記録用サーバーコンピュータ１６，１７同士は互いに接続され、一方の記録用サーバーコンピュータ１６は、モニタ２０を備えたパソコン２２に接続され、他方の記録用サーバーコンピュータ１７には、データバックアップ用の追記型のコンパクドディスク装置（ＣＤ−ＲＷ）２４が接続されている。
【００１０】
また、各記録用サーバーコンピュータ１６，１７では、各々記録された複数のデータを各々互いに等しいデータとなるように、管理記号である連番を付して記録する記録管理手段である連番同期用アプリケーションプログラムを備える。さらに、この記録管理手段により各記録用サーバーコンピュータ１６，１７に記録された上記データのうち何れか一方の記録用サーバーコンピュータ１６，１７のデータに欠落が生じた場合に、他方の記録用サーバーコンピュータ１６，１７から、記録したデータの連番に基づいてデータの欠落部分を抽出し、データが欠落した記録用サーバーコンピュータのデータを補完する復旧用アプリケーションプログラムであるデータ復旧手段を備える。
【００１１】
さらに、記録用サーバーコンピュータ１７は、ハブ２６を介してＬＡＮ２８にも接続され、ＬＡＮ２８には、複数のクライアントコンピュータ３０、プリンタ３２が接続されている。さらに、記録用サーバーコンピュータ１７はダイヤルアップルータ３４を介してインターネット３６にも接続可能に設けられ、インターネット３６及びモデム３８等を介して他のパソコン４０も接続可能であり、記録用サーバーコンピュータ１６，１７内のデータを遠隔地でも検索及び監視することができる。
【００１２】
この実施形態のデータ記録検索システムの動作は、発電所のホストコンピュータ１０から、例えば土木事故データ及び電気事故データが電話回線１１，１２による２系統で出力され、モデム１４，１５を介して信号分配器１８，１９に入力する。信号分配器１７，１８では、各記録用サーバーコンピュータ１６，１７へ各々受信したデータを出力する。このとき、ホストコンピュータ１０から出力されてきた信号のうち記録に必要な信号のみを抽出し、不要な信号を廃棄する。そして、必要な信号の中から文字データ、文字修飾データ、日付情報、時刻情報を付加して、各記録用サーバーコンピュータ１６，１７に送信しハードディスク等に記録する。また、適宜コンパクトディスク装置２４により、ＣＤＲＯＭに記録する。
【００１３】
各記録用サーバーコンピュータ１６，１７では、データ受信アプリケーションプログラムの起動時に、図２，図３に示すように、連番同期用アプリケーションプログラムによる連番同期処理を行う。連番同期処理は、自己以外の他方の記録用サーバーコンピュータ１６，１７から、各データの連番の最終値を取得し、これに基づいて自己のデータの連番を付す。この処理は先ず、自アプリケーションの稼動していない方のデータ受信記録用サーバーコンピュータ上で稼動しているデータベースに接続し、連番テーブルから最終連番の値を取得する。そして、自アプリケーションが稼動している記録用サーバーコンピュータ上で稼動しているデータベースに接続し、連番テーブルの値を上記で取得した値に更新する。これにより、各々記録された複数のデータを各々互いに完全に一致したデータとして記録することができる。
【００１４】
また、各記録用サーバーコンピュータ１６，１７に記録された各データのうち何れか一方の記録用サーバーコンピュータ１６，１７に障害が発生し、そのデータに欠落が生じた場合、復旧手段の復旧用アプリケーションプログラムにより他方の記録用サーバーコンピュータ１６，１７から、記録したデータの連番に基づいてデータの欠落部分を抽出し、欠落した方の記録用サーバーコンピュータのデータを補完する。この処理は、図４に示すように、復旧用のアプリケーションプログラムの起動後、上記連番同期用アプリケーションプログラムによる処理を行い、完了後欠落したデータを補完するデータ等価処理を行う。このデータ等価処理は、データ受信処理とは別に行われる。
【００１５】
この実施形態の記録用サーバーコンピュータ１６，１７は、一方の記録用サーバーコンピュータ１７がＬＡＮ２８を介してクライアントコンピュータ２８に接続しているが、この記録用サーバーコンピュータ１７に障害が生じた場合、自動的にそれを検知して、他方個記録用サーバーコンピュータ１６に接続を切り替える。
【００１６】
この実施形態のデータ記録検索システムは、各種プラントや設備の事故等のデータを完全に等価な２つのデータとして記録することができ、何らかの障害による一方のデータに欠落が生じても簡単に欠落部分の復旧をすることができる。また、ＬＡＮ２８やインターネット３６を介して適宜のクライアントコンピュータ３０，４０によりデータの検索及び確認作業を行うことができ、事故データ管理をより容易且つ確実なものとすることができる。
【００１７】
尚、この発明のデータ記録検索システムは、上記実施形態に限定されず、データの格納形式や復旧方法は適宜選択可能なものである。
【００１８】
【発明の効果】
この発明のデータ記録検索システムは、各種プラントや設備の事故等のデータを完全に等価な複数のデータとして記録することができ、何らかの障害によるデータの欠落が生じても簡単に欠落部分の復旧をすることができる。また、記録されたデータの検索や保管も容易であり、遠隔地での管理も容易に可能なものである。
【図面の簡単な説明】
【図１】この発明の一実施形態のデータ記録検索システムを示す模式図である。
【図２】この実施形態のデータ記録検索システムの信号分配を示す模式図である。
【図３】この実施形態のデータ記録検索システムの連番同期処理を示すフローチャートである。
【図４】この実施形態のデータ記録検索システムのデータ復旧処理を示すフローチャートである。
【図５】従来のデータ記録システムを示す概略図である。
【符号の説明】
１０　　ホストコンピュータ
１４，１５　　モデム
１６，１７　　記録用サーバーコンピュータ
１８，１９　　信号分配器
【図１】
2004021823.tif 000003
【図２】
2004021823.tif 000004
【図３】
2004021823.tif 000005
【図４】
2004021823.tif 000006
【図５】
2004021823.tif 000007